(57)【要約】【課題】複数の表示デバイスが接続された情報処理装置であって、表示デバイスに特別な仕組みを組み込むことなく、ユーザがマルチメディアコンテンツを視聴するために表示デバイスを選択する際に、それらの表示デバイスの中から、所望の表示デバイスを簡単かつ確実に選択できる情報処理装置を提供する。【解決手段】コンテンツを再生させる再生装置を設定する際、ネットワーク上のアクティブな再生装置３〜５の情報を取得し、アクティブな再生装置３〜５ごとに異なる識別コンテンツＣ１〜Ｃ３を送信して送信先のアクティブな再生装置３〜５に識別コンテンツＣ１〜Ｃ３を再生させる通信手段（Ｃ）と、各再生装置３〜５に送信した識別コンテンツＣ１〜Ｃ３と関連する識別情報を表示する表示手段（Ｄ）と、表示された識別情報のうちいずれかの識別情報の選択を受け付ける受付手段と、受け付けられた識別コンテンツＣ１〜Ｃ３が再生されている再生装置３〜５を、コンテンツを再生させる再生装置として設定する設定手段と、を備えた。【選択図】  図７
2011076538.tif 000002
【特許請求の範囲】
【請求項１】
コンテンツを再生させる再生装置を設定する際、ネットワーク上のアクティブな再生装置の情報を取得し、アクティブな再生装置ごとに異なる識別コンテンツを送信して送信先のアクティブな再生装置に識別コンテンツを再生させる通信手段と、
前記通信手段により各再生装置に送信した識別コンテンツと関連する識別情報を表示する表示手段と、
前記表示手段により表示された識別情報のうちいずれかの識別情報の選択を受け付ける受付手段と、
前記受付手段により受け付けられた識別コンテンツが再生されている再生装置を、コンテンツを再生させる再生装置として設定する設定手段と、
を備えたことを特徴とする情報処理装置。
【請求項２】
前記通信手段は、一定時間毎に前記識別コンテンツを再生させる再生装置を切り替えることを特徴とする請求項１記載の情報処理装置。
【請求項３】
操作キーを有する情報処理装置であって、
コンテンツを再生させる再生装置を設定する際、ネットワーク上のアクティブな再生装置の情報を取得し、アクティブな再生装置ごとに異なる識別コンテンツを送信して送信先のアクティブな再生装置に識別コンテンツを再生させる通信手段と、
前記識別コンテンツ送信手段により各再生装置に送信した識別コンテンツと前記操作キーとの対応関係を記憶する記憶手段と、
前記通信手段によってアクティブな再生装置に対して識別コンテンツを再生させているときに、前記操作キーの選択を受け付ける受付手段と、
前記受付手段により受け付けられた操作キーと対応付けて前記記憶手段に記憶されている識別コンテンツを送信した送信先のアクティブな再生装置を、コンテンツを再生させる再生装置として設定する設定手段と、
を備えたことを特徴とする情報処理装置。
【請求項４】
コンテンツを再生させる再生装置を設定する際、ネットワーク上のアクティブな再生装置の情報を取得し、アクティブな再生装置のリストを表示する表示手段と、
前記表示手段により表示された再生装置のうちいずれかの再生装置にフォーカスを移動させる操作を受け付ける受付手段と、
前記表示手段により表示されたアクティブな再生装置のうち、フォーカスされている再生装置に対して、識別コンテンツを送信して再生させる通信手段と、
前記受付手段によりフォーカスが合わされた再生装置を、コンテンツを再生させる再生装置として設定する設定手段と、
を備えたことを特徴とする情報処理装置。
【請求項５】
前記通信手段が再生装置に識別コンテンツを再生させる際、その再生装置にて再生されているコンテンツがある場合、そのコンテンツの再生状況を記憶する記憶手段を備え、
前記通信手段は、前記識別コンテンツの再生を終了させるときに、前記記憶手段に記憶された再生状況に基づいて、前記コンテンツの再生を再開することを特徴とする請求項１または４記載の情報処理装置。
【請求項６】
前記各々の再生装置に対応付けて識別コンテンツを記憶する記憶手段を備え、
前記通信手段はアクティブな再生装置に前記識別コンテンツを送信して再生させる際、前記識別コンテンツが記憶手段に記憶されていた場合、この識別コンテンツをアクティブな再生装置に送信して再生させ、前記識別コンテンツが記憶手段に記憶されていなかった場合、識別コンテンツを生成して、生成した識別コンテンツをアクティブな再生装置に送信して再生させることを特徴とする請求項１または４記載の情報処理装置。
【請求項７】
前記表示手段は、識別コンテンツを圧縮して表示することを特徴とする請求項１または４記載の情報処理装置。
【発明の詳細な説明】
【技術分野】
【０００１】
本発明は、複数の表示デバイスのいずれかを用いてコンテンツを再生する情報処理装置に係り、具体的には、ユーザが簡単に表示デバイスを選択できるように支援する機能を備えた情報処理装置に関する。
【背景技術】
【０００２】
近年、例えばノートＰＣ（Ｐｅｒｓｏｎａｌ  Ｃｏｍｐｕｔｅｒ）などの情報処理装置において、外部モニタやＴＶなどの表示デバイスを接続することにより、画面データの表示先をこれらの表示デバイス間で切り替えることができるようになっている。このような情報処理装置は、一般的に、表示ドライバのユーティリティを利用することでユーザが表示対象の表示デバイスを切り替えることができるように構成されている。
【０００３】
例えば特許文献１では、ネットワークデバイスの中からユーザが目的とするものを容易かつ確実に選択することができる情報処理装置が提案されている。この情報処理装置は、使用候補のネットワークデバイスに関して、ネットワーク上のデバイス識別情報と対応付けて、このデバイスの物理的な設置状況をユーザに通知し、使用候補のデバイスとしては、クライアント装置に予め登録されているデバイスや、ネットワーク上の全デバイスの中から検索を行なって抽出した、ユーザが使用を希望するデバイスに関して検索条件に合致するものとし、ユーザに通知する設置状況は、デバイスの外観を示す画像、デバイスが設置されている付近を収録した画像や音声、デバイスの外観やデバイスが設置されている付近の状況を説明したメッセージとし、提示されたデバイスの物理的な設置状況を確認することで、目的とするネットワーク上のデバイスを容易にかつ確実に選択できるものである。
【先行技術文献】
【特許文献】
【０００４】
【特許文献１】特開２００５−１４１６２０号公報
【発明の概要】
【発明が解決しようとする課題】
【０００５】
特許文献１では、ユーザが複数のデバイスから特定のデバイスを選択する際に、情報処理装置が各々のデバイスの外観や設置状況などをユーザに対して提示することにより、ユーザの選択を支援することができる。しかしながら、外観が類似したデバイスが同様の設置状況に複数あった場合などにはユーザが提示内容から各々のデバイスを識別するのが難しい状況なども考えられる。
【０００６】
本発明は、上記課題を鑑みなされたもので、複数の表示デバイスが接続された情報処理装置であって、表示デバイスに特別な仕組みを組み込むことなく、ユーザがマルチメディアコンテンツを視聴するために表示デバイスを選択する際に、それらの表示デバイスの中から所望の表示デバイスを簡単かつ確実に選択できる情報処理装置を提供することを目的とする。
【課題を解決するための手段】
【０００７】
上記課題を解決するために、本発明に係る情報処理装置は、コンテンツを再生させる再生装置を設定する際、ネットワーク上のアクティブな再生装置の情報を取得し、アクティブな再生装置ごとに異なる識別コンテンツを送信して送信先のアクティブな再生装置に識別コンテンツを再生させる通信手段と、前記通信手段により各再生装置に送信した識別コンテンツと関連する識別情報を表示する表示手段と、前記表示手段により表示された識別情報のうちいずれかの識別情報の選択を受け付ける受付手段と、前記受付手段により受け付けられた識別コンテンツが再生されている再生装置を、コンテンツを再生させる再生装置として設定する設定手段と、を備えたことを特徴とする。
【発明の効果】
【０００８】
本発明に係る情報処理装置によると、複数の表示デバイスが接続された情報処理装置であって、表示デバイスに特別な仕組みを組み込むことなく、ユーザがマルチメディアコンテンツを視聴するために表示デバイスを選択する際に、それらの表示デバイスの中から所望の表示デバイスを簡単かつ確実に選択することが可能となる。
【図面の簡単な説明】
【０００９】
【図１】本発明に係る情報処理装置が適用されるコンテンツ再生システムのシステム構成図。
【図２】本発明に係る情報処理装置の機能を示すブロック図。
【図３】再生装置リスト情報の一例を示すデータ構成図。
【図４】対応情報の一例を示すデータ構成図。
【図５】再生装置の機能を示すブロック図。
【図６】本発明に係る情報処理装置がコンテンツ再生処理を行う際の手順を示すフローチャート。
【図７】本発明に係る情報処理装置におけるコンテンツ再生処理を説明するための概略図。
【図８】（Ａ）は、本発明に係る情報処理装置に表示される再生装置選択画面の一例を示す画面図、（Ｂ）乃至（Ｅ）は、再生装置に表示される識別コンテンツの一例を示す画面図。
【図９】（Ａ）は、本発明に係る情報処理装置の操作キーのキー配列の一例を示す図、（Ｂ）は、対応情報の一例を示すデータ構成図、（Ｃ）乃至（Ｅ）は、再生装置に表示される識別コンテンツの一例を示す画面図。
【図１０】本発明に係る情報処理装置がコンテンツ再生処理を行う際の手順を示すフローチャート。
【図１１】本発明に係る情報処理装置におけるコンテンツ再生処理を説明するための概略図。
【発明を実施するための形態】
【００１０】
本発明に係る情報処理装置の実施形態について、添付図面に基づいて説明する。図１は、本発明に係る情報処理装置１が適用されるコンテンツ再生システム１００のシステム構成図である。コンテンツ再生システム１００は、Ｂｌｕｅｔｏｏｔｈ（登録商標）などの近距離無線通信や無線ＬＡＮ（Ｌｏｃａｌ  Ａｒｅａ  Ｎｅｔｗｏｒｋ）などの通信ネットワーク２を備えている。通信規格はこれらに限定されず、また、無線であっても有線であっても良いが、ここでは無線ＬＡＮによる通信を行うものとして説明する。通信ネットワーク２は、複数の通信機器間における通信を相互接続するアクセスポイント２ａを備えている。
【００１１】
コンテンツ再生システム１００は、複数のコンテンツ再生装置（以下、単に再生装置と言う。）と、これらの再生装置にコンテンツを送信して再生させる情報処理装置１とを備えている。再生装置は、例えばＰＣ（Ｐｅｒｓｏｎａｌ  Ｃｏｍｐｕｔｅｒ）、ＴＶ（Ｔｅｌｅｖｉｓｉｏｎ）、ＰＤＡ（Ｐｅｒｓｏｎａｌ  Ｄａｔａ  Ａｓｓｉｓｔａｎｃｅ）、携帯電話機、ゲーム機、音楽再生機器など、コンテンツ再生機能を備えた任意のデバイスである。ここでは一例として、コンテンツ再生システム１００が再生装置としてＰＣ３、ＴＶ４、携帯電話機５を備えているものとして説明する。コンテンツ再生システム１００において、情報処理装置１、ＰＣ３、ＴＶ４、携帯電話機５は、アクセスポイント２ａに無線接続されることにより、相互にデータ通信を行うことができる。
【００１２】
また、コンテンツ再生システム１００は、多数のコンテンツを記憶しているコンテンツサーバ６を備えている。情報処理装置１は、ユーザの指示に基づいて、独自に記憶しているコンテンツ、またはコンテンツサーバ６に記憶されているコンテンツを取得して、これらのコンテンツをＰＣ３、ＴＶ４、携帯電話機５のいずれかに再生させることができる。
【００１３】
図２は、情報処理装置１の機能を示すブロック図である。情報処理装置１は、一般的に用いられているＰＣやＰＤＡや携帯電話機などである。情報処理装置１は、図２に示すように、主制御部１０、電源回路部１１、操作入力制御部１２、表示制御部１３、音声制御部１４、通信制御部１５、及び記憶部１６がバスによって相互に通信可能に接続されて構成されている。
【００１４】
主制御部１０は、ＣＰＵ（Ｃｅｎｔｒａｌ  Ｐｒｏｃｅｓｓｉｎｇ  Ｕｎｉｔ）を具備し、情報処理装置１の総括的な制御を行うとともに、後述するコンテンツ再生処理や、その他の様々な演算処理や制御処理などを行う。電源回路部１１は、電源供給源（バッテリなど）、または電力供給源に対する接続インタフェースを備え、これらの電力供給源から電力を取得して各部に対してこの電力を供給することにより、情報処理装置１を動作可能にする。
【００１５】
操作入力制御部１２は複数の操作キー１２ａを備えていて、いずれかの操作キー１２ａが押下されたことを検知すると、その押下されたキーを示す信号を生成して主制御部１０に伝送する。信号を受信した主制御部１０は、この信号に基づいて様々な処理を行う。表示制御部１３は液晶ディスプレイなどのディスプレイ１３ａを備えていて、主制御部１０の制御に基づいて画面データを生成してディスプレイ１３ａに表示させる。
【００１６】
音声制御部１４は、主制御部１０の制御に基づいて、マイクロフォン１４ａで集音されたアナログ音声信号をデジタル音声信号に変換する。また音声制御部１４は、デジタル音声信号を取得すると、主制御部１０の制御に基づいて、このデジタル音声信号をアナログ音声信号に変換し、スピーカ１４ｂから音声として出力する。
【００１７】
通信制御部１５は、主制御部１０の制御に基づいて、アクセスポイント２ａからアンテナ１５ａを介して受信した受信信号をスペクトラム逆拡散処理してデータを復元する。このデータは、主制御部１０の指示により、音声制御部１４に伝送されてスピーカ１４ｂから出力されたり、表示制御部１３に伝送されてディスプレイ１３ａに表示されたり、または記憶部１６に記録されたりする。また通信制御部１５は、主制御部１０の制御に基づいて、マイクロフォン１４ａで集音して得られた音声データや、操作キー１２ａを介して入力されたデータや記憶部１６に記憶されたデータを取得すると、これらのデータに対してスペクトラム拡散処理を行い、アクセスポイント２ａに対してアンテナ１５ａを介して送信する。
【００１８】
記憶部１６は、主制御部１０が行う処理について、処理プログラムや処理に必要なデータなどを格納するＲＯＭ（Ｒｅａｄ  Ｏｎｌｙ  Ｍｅｍｏｒｙ）やハードディスク、不揮発性メモリ、主制御部１０が処理を行う際に使用されるデータを一時的に記憶するＲＡＭ（Ｒａｎｄｏｍ  Ａｃｃｅｓｓ  Ｍｅｍｏｒｙ）などから構成される。また、主制御部１０が後述するコンテンツ再生処理を行う際の処理プログラムは、例えばＲＯＭに記憶されているものとする。
【００１９】
また、記憶部１６は、情報処理装置１に接続されていて情報処理装置１の制御によってコンテンツ再生が可能な再生装置のリストを示す再生装置リスト情報４０を記憶している。図３は、再生装置リスト情報４０の一例を示すデータ構成図である。再生装置リスト情報４０は、図３に示すように、コンテンツを再生可能な状態にある再生装置の再生装置名情報４１、その再生装置の識別（ＩＤ）情報４２がそれぞれ対応付けられた情報である。再生装置リスト情報４０は、ユーザの操作キー１２ａを介した入力に基づいて情報処理装置１に取得されて記憶部１６に記憶されるか、あるいは定期的に情報処理装置１に取得されて記憶される。
【００２０】
例えば図３によると、「再生装置Ａ」の再生装置名情報４１に「ＸＸＸＴＶ」の識別情報４２が、「再生装置Ｂ」の再生装置名情報４１に「ＹＹＹＴＶ」の識別情報４２が、「再生装置Ｃ」の再生装置名情報４１に「ＺＺＺＰｉｃｔｕｒｅＦｒａｍｅ」の識別情報４２がそれぞれ対応付けられている。これは、コンテンツ再生システム１００において、情報処理装置１からコンテンツを受信して再生させることができる再生装置が再生装置Ａ、再生装置Ｂ、再生装置Ｃであることを意味する。再生装置Ａは例えばＰＣ３であり、再生装置Ｂは例えばＴＶ４であり、再生装置Ｃは例えば携帯電話機５である。
【００２１】
また、記憶部１６は、各々の識別コンテンツ（各々の再生装置を識別するために各々の再生装置に再生させるコンテンツ）とその再生先とする再生装置との対応関係を示す対応情報４３を記憶している。図４は、対応情報４３の一例を示すデータ構成図である。対応情報４３は、図４に示すように、識別コンテンツ情報４４、再生装置情報４５がそれぞれ対応付けられた情報である。対応情報４３は、ユーザの操作キー１２ａを介した入力に基づいて設定されて記憶部１６に記憶されるか、あるいは予め記憶部１６に記憶されている。
【００２２】
例えば図４によると、「Ｃ１」の識別コンテンツ情報４４が「ＸＸＸＴＶ（再生装置Ａ；ＰＣ３）」の再生装置情報４５に、「Ｃ２」の識別コンテンツ情報４４が「ＹＹＹＴＶ（再生装置Ｂ；ＴＶ４）」の再生装置情報４５に、「Ｃ３」の識別コンテンツ情報４４が「ＺＺＺＰｉｃｔｕｒｅＦｒａｍｅ（再生装置Ｃ；携帯電話機５）」の再生装置情報４５にそれぞれ対応付けられている。ユーザがマルチメディアコンテンツを再生させる再生装置を選択する際、再生装置ＡにＣ１の識別コンテンツが、再生装置ＢにＣ２の識別コンテンツが、再生装置ＣにＣ３の識別コンテンツが再生されることを意味する。
【００２３】
さらに、記憶部１６は、複数のコンテンツ情報４６を記憶している。情報処理装置１は、マルチメディアコンテンツの再生先を設定した後、ユーザの操作キー１２ａを介した指示に基づいてコンテンツ情報４６からユーザ所望のマルチメディアコンテンツを抽出して、再生装置に再生させる。
【００２４】
図５は、ＰＣ３、ＴＶ４、携帯電話機５などの再生装置の機能を示すブロック図である。これらの再生装置はそれぞれ、図５に示すように、少なくとも、制御装置２０、電源装置２１、入力装置２２、表示装置２３、音声出力装置２４、記憶装置２５、及び通信装置２６を備えていて、それらはバスによって相互に通信可能に接続されている。
【００２５】
制御装置２０は、ＣＰＵやＲＡＭを具備していて、再生装置を総括的に制御し、様々な演算処理や制御処理を行う。電源装置２１は、電源供給源（バッテリなど）、または電力供給源に対する接続インタフェースを備え、これらの電力供給源から電力を取得して各部に対してこの電力を供給することにより、再生装置を動作可能にする。入力装置２２は、データを入力するマウスやキーボード、操作キー、操作ボタンなどを備えていて、ユーザによりこれらが操作されると、制御装置２０はそれらの操作に対応する処理を行う。
【００２６】
表示装置２３は、データを表示する液晶ディスプレイ、ビデオＲＡＭ、ＧＰＵ（Ｇｒａｐｈｉｃｓ  Ｐｒｏｃｅｓｓｉｎｇ  Ｕｎｉｔ）などを備えている。表示装置２３において、ＧＰＵの制御によってビデオＲＡＭにロードされたフレームデータが液晶ディスプレイに出力される。
【００２７】
音声出力装置２４は、音声を出力するスピーカなどを備え、制御装置２０の制御に基づいて音声を出力する。記憶装置２５は、ＲＯＭやＨＤＤ（Ｈａｒｄ  Ｄｉｓｋ  Ｄｒｉｖｅ）などを備え、制御装置２０が処理を行うための処理プログラムや処理に必要なデータ、マルチメディアコンテンツなどを記憶している。
【００２８】
通信装置２６はアンテナ２６ａを備え、制御装置２０の制御に基づいて、アクセスポイント２ａからアンテナ２６ａを介して受信した受信信号をスペクトラム逆拡散処理してデータを復元する。このデータは、制御装置２０の指示により、表示装置２３に伝送されて液晶ディスプレイに表示されたり、記憶装置２５に記憶されたりする。また通信装置２５は、制御装置２０の制御に基づいて、入力装置２２を介して入力されたデータや記憶装置２５に記憶されたデータを取得すると、これらのデータに対してスペクトラム拡散処理を行い、アクセスポイント２ａに対してアンテナ２６ａを介して送信する。
【００２９】
複数の再生装置を備えたコンテンツ再生システム１００において、情報処理装置１は、ユーザの指示に基づいて、記憶部１６に記憶されているマルチメディアコンテンツあるいはコンテンツサーバ６に記憶されているマルチメディアコンテンツをＰＣ３やＴＶ４などの再生装置で再生させる機能を備えている。そして、情報処理装置１に複数の再生装置が接続されているときには、マルチメディアコンテンツを再生する際、複数の再生装置の中から再生対象の再生装置を設定する必要がある。そこで、情報処理装置１は、再生可能な再生装置を識別するための情報（文字や画像）をディスプレイ１３ａに表示させることにより、ユーザの再生装置の選択を支援する。
【００３０】
ユーザは、ディスプレイ１３ａに表示された再生装置を識別するための情報に基づいて、マルチメディアコンテンツを再生させる再生装置を選択する。つまり、情報処理装置１は、ユーザが再生装置を選択する時に、ユーザが各々を視覚的に識別できるようにするためのコンテンツである識別コンテンツをそれぞれの再生装置に割り当て、各々割り当てられた識別コンテンツを再生装置において再生させるとともに、ディスプレイ１３ａに識別コンテンツそのもの、または識別コンテンツと関連した情報を表示させることによってユーザの再生装置の選択操作を支援する機能を備えている。
【００３１】
情報処理装置１がこの再生制御処理を行う際の手順について、図６に示すフローチャート、図７に示す再生制御処理の概略図に基づいて説明する。
【００３２】
ユーザから操作キー１２ａを介してマルチメディアコンテンツの再生が指示されると、情報処理装置１の主制御部１０は、マルチメディアコンテンツが再生可能な（アクティブな）再生装置の情報を取得する（Ｓ１０１）。このとき、主制御部１０は、図７の（Ａ）に示すように、例えば電源が投入されて通信ネットワーク２に接続されていて再生可能な状態にある再生装置の情報を取得して、図３に示すような再生装置リスト情報４０を生成する。なお、予めアクティブな再生装置の情報を取得して生成された記憶部１６に記憶されている再生装置リスト情報４０を使用しても良い。
【００３３】
そして、主制御部１０は、ステップＳ１０１にて取得した再生装置の情報に基づいて対応情報４３を生成する（Ｓ１０３）。このとき、主制御部１０は、図７の（Ｂ）に示すように、ステップＳ１０１にて取得した各々の再生装置にそれぞれ識別コンテンツを割り当て、図４に示すような対応情報４３（対応テーブル）を生成する。
【００３４】
主制御部１０は、ステップＳ１０３にて生成した対応テーブルに基づいて、各々の再生装置にそれぞれ割り当てられた識別コンテンツを送信して、これらの識別コンテンツを再生させる（Ｓ１０５）。このとき、図７の（Ｃ）に示すように、再生装置Ａ（ＰＣ３）にて「Ｃ１」の識別コンテンツが再生され、再生装置Ｂ（ＴＶ４）にて「Ｃ２」の識別コンテンツが再生され、再生装置Ｃ（携帯電話機５）にて「Ｃ３」の識別コンテンツが再生される。
【００３５】
また主制御部１０は、ステップＳ１０３にて生成した対応テーブルに基づいて、各々の再生装置に対応付けられた識別コンテンツをそれぞれ情報処理装置１のディスプレイ１３ａに表示させる（Ｓ１０７）。図７の（Ｄ）に示すように、ディスプレイ１３ａに各々の識別コンテンツが選択肢として表示される。
【００３６】
ユーザは、ステップＳ１０５にて再生装置で再生された識別コンテンツと同様の識別コンテンツを、ディスプレイ１３ａに表示された識別コンテンツから選択することにより、再生対象のマルチメディアコンテンツを再生させたい再生装置を選択する。主制御部１０は、ユーザにより再生装置が選択されたか否かを判断する（Ｓ１０９）。再生装置が選択されていない場合（Ｓ１０９のＮｏ）、主制御部１０は再生装置が選択されるまで待機する。
【００３７】
再生装置が選択された場合（Ｓ１０９のＹｅｓ）は、主制御部１０は、ステップＳ１０５にて再生された識別コンテンツの再生を終了させて、再生対象のマルチメディアコンテンツをその再生装置に再生させる（Ｓ１１１）。これにより、ユーザは所望の再生装置で所望のマルチメディアコンテンツを視聴することが可能となる。
【００３８】
なお、ステップＳ１０５にて識別コンテンツを再生させる前に、アクティブな再生装置において現在再生されているマルチメディアコンテンツのコンテンツ情報を取得して記憶するようにしても良い。これにより、再生対象の再生装置が決定された後に、記憶されたコンテンツ情報に基づいてそれぞれの再生装置にてマルチメディアコンテンツの再生を継続させることができる。
【００３９】
このようにして情報処理装置１は、マルチメディアコンテンツを再生させる再生装置を選択する際に、各々の再生装置に識別コンテンツを再生させるとともに、情報処理装置１のディスプレイ１３ａに各々の識別コンテンツを選択可能に表示させることにより、ユーザに再生装置を選択するように促す。これにより、ユーザは、所望の再生装置により再生された識別コンテンツを確認して、情報処理装置１においてこの識別コンテンツを選択することにより、直感的に所望の再生装置を選択することができる。
【００４０】
図８は、再生装置選択に用いる識別コンテンツの第１の例である。図８（Ａ）は、情報処理装置１のディスプレイ１３ａに表示される再生装置選択画面の一例を示す画面図であり、図８（Ｂ）は、対応テーブルの一例を示す図であり、図８（Ｃ）、（Ｄ）、（Ｅ）は、それぞれ再生装置Ａ（ＰＣ３）、再生装置Ｂ（ＴＶ４）、再生装置Ｃ（携帯電話機５）に表示される識別コンテンツの一例を示す画面図である。
【００４１】
図８（Ａ）乃至図８（Ｅ）の例では、再生装置Ａに割り当てられる識別コンテンツがキリン（Ｇｉｒａｆｆｅ）、再生装置Ｂに割り当てられる識別コンテンツがしまうま（Ｚｅｂｒａ）、再生装置Ｃに割り当てられる識別コンテンツが象（Ｅｌｅｐｈａｎｔ）のアイコンコンテンツである場合を示している。ユーザは、各々の再生装置に再生された識別コンテンツと同一のアイコンコンテンツを、ディスプレイ１３ａにおいて選択することにより、簡単に再生装置を選択することができる。このときにディスプレイ１３ａがタッチスクリーンであれば、ユーザがディスプレイ１３ａに表示されたアイコンコンテンツを指で触れることにより、更に簡単に再生装置を選択することができる。
【００４２】
なお、情報処理装置１のディスプレイ１３ａと再生装置Ａ〜Ｃのディスプレイには同じ識別コンテンツが表示されるとして説明したが、対応テーブルに識別コンテンツと対応付けて識別コンテンツを示すテキスト情報を登録しておき、再生装置Ａ〜Ｃには識別コンテンツを表示し、情報処理装置１には識別コンテンツと対応するテキスト情報を表示しても良い。例えば、図８の例では、再生装置Ａ〜Ｃにキリン、しまうま、象の画像をそれぞれ表示させるのに対して、情報処理装置１には、「キリン」、「しまうま」、「象」というテキスト情報を表示させても良い。
【００４３】
図９は、再生装置選択に用いる識別コンテンツの第２の例である。図９（Ａ）は、情報処理装置１の操作キー１２ａの配列の一例を示す図であり、図９（Ｂ）は、対応テーブルの一例を示す図であり、図９（Ｃ）は、再生装置Ａ（ＰＣ３）に表示される識別コンテンツの一例を示す画面図、図９（Ｄ）は、再生装置Ｂ（ＴＶ４）に表示される識別コンテンツの一例を示す画面図、図９（Ｅ）は、再生装置Ｃ（携帯電話機５）に表示される識別コンテンツの一例を示す画面図である。
【００４４】
図９（Ａ）乃至図９（Ｅ）に示すように、情報処理装置１は、操作キー１２ａとして「０」乃至「９」までの数字キーを備えていて、再生装置に識別コンテンツを再生させる際に、例えば番号が表示されている静止画や動画を各々の再生装置に割り当てるようにしても良い。この際には、各々の再生装置にそれぞれ「Ｉ」、「ＩＩ」、「ＩＩＩ」の番号が表示されている静止画または動画が再生されているときに、ユーザによって、表示されている番号に対応する数字キーが選択されることにより、再生装置が選択される。これにより、例えば情報処理装置１がディスプレイ１３ａを備えていない場合や、ディスプレイ１３ａにデータを表示できない状態であっても、ユーザは数字キーを用いて再生装置を選択することができる。
【００４５】
ここで、情報処理装置１はアクティブな再生装置のリストを生成して、ディスプレイ１３ａの画面に表示させている間、表示された再生装置（またはそれに対応する識別コンテンツ）のうちフォーカスされている再生装置のみに対して識別コンテンツを再生させるようにしても良い。
【００４６】
情報処理装置１が図７の識別コンテンツを用いてこの再生制御処理を行う際の手順について、図１０に示すフローチャート、図１１に示す再生制御処理の概略図に基づいて説明する。
【００４７】
ユーザから操作キー１２ａを介してマルチメディアコンテンツの再生が指示されると、情報処理装置１の主制御部１０は、アクティブな再生装置の情報を取得する（Ｓ２０１）。このとき、主制御部１０は、例えば電源が投入されて通信ネットワーク２に接続されていて再生可能な状態にある再生装置の情報を取得して、図３に示すような再生装置リスト情報４０を生成する。
【００４８】
主制御部１０は、ステップＳ２０１にて取得した再生装置のリストを生成して情報処理装置１のディスプレイ１３ａに表示させる（Ｓ２０５）。ユーザは、ステップＳ２０５にて表示された再生装置のリストから、いずれかの再生装置をフォーカスさせることにより、フォーカスされている再生装置に識別コンテンツを再生させる。
【００４９】
主制御部１０は、フォーカスが切り替えられたか否かを判断する（Ｓ２０７）。フォーカスが切り替えられた場合（Ｓ２０７のＹｅｓ）は、主制御部１０は、切り替え前にフォーカスされていた再生装置にて再生されている識別コンテンツの再生を終了させる（Ｓ２０９）。そして主制御部１０は、新たにフォーカスされた再生装置に識別コンテンツを再生させる（Ｓ２１１）。
【００５０】
ユーザは、ディスプレイ１３ａに表示されている再生装置のフォーカスを切り替えながら各々の再生装置に識別コンテンツを順次再生させることにより、再生対象の再生装置を判定して、その再生装置を選択する。主制御部１０は、ユーザによりいずれかの再生装置が選択されたか否かを判断する（Ｓ２１３）。再生装置が選択されていない場合（Ｓ２１３のＮｏ）は、ステップＳ２０７に戻って、主制御部１０は再びステップＳ２０７乃至Ｓ２１３の処理を行う。なお、ステップＳ２１１にてフォーカス切り替え後の新たな再生装置に識別コンテンツを再生させる際、この再生装置が何らかのマルチメディアコンテンツを再生している場合には、そのマルチメディアコンテンツの再生を停止させ、停止時の再生装置の状況を取得して記憶しておき、この再生装置から他の再生装置にフォーカスが切り替えられたときに、記憶している再生装置の状況を用いて、当初再生されていたマルチメディアコンテンツの再生を再開させても良い。
【００５１】
再生装置が選択された場合（Ｓ２１３のＹｅｓ）は、主制御部１０は、ステップＳ２１１にて再生された識別コンテンツの再生を終了させて、再生対象のマルチメディアコンテンツをその再生装置に再生させる（Ｓ２１５）。これにより、ユーザは所望の再生装置で所望のマルチメディアコンテンツを視聴することが可能となる。
【００５２】
このようにして情報処理装置１は、マルチメディアコンテンツを再生させる再生装置を選択する際に、ディスプレイ１３ａに再生装置のリストを表示しながら、フォーカスされている再生装置に識別コンテンツを再生させることにより、ユーザに再生装置を選択するように促す。これにより、ユーザは、所望の再生装置において識別コンテンツが再生されたことを確認して、情報処理装置１においてこの再生装置を選択することにより、直感的に所望の再生装置を選択することができる。
【００５３】
なお、情報処理装置１において、マルチメディアコンテンツの種別（例えば画像のみのコンテンツ、音声のみのコンテンツなどの種別）毎に、そのコンテンツの再生可能な再生装置を予め対応付けて記憶しておき、ステップＳ１０１やステップＳ２０１にて再生装置のリストを生成する際に、再生可能な再生装置のみを選出するようにしても良い。たとえば、再生したいマルチメディアコンテンツが音声ファイルのときには、音声ファイルを再生可能な再生装置のみを選出して、再生装置のリストに追加する。このとき、使用される識別コンテンツを音声ファイルにして、それぞれの再生装置に再生させると良い。再生装置の選択肢を当該コンテンツを再生可能な再生装置だけに絞ることにより、再生装置の選択肢を少なくすることができる。
【００５４】
また情報処理装置１において、再生装置のリストをディスプレイ１３ａに表示する際に、適切な識別コンテンツが記憶部１６に記憶されていなかった場合、記憶部１６に記憶されている画像データや音声データを用いて識別コンテンツが生成されるようにしても良い。この際、高画質の画像データが使用される場合には、画像データの画素数を落とすことでアイコン画像を生成して、そのアイコン画像を用いて識別コンテンツが生成されると良い。
【００５５】
また情報処理装置１において、適切な識別コンテンツが記憶部１６に記憶されていない場合には、各々の再生装置のデバイス名を示している識別コンテンツを生成すると良い。これにより、ユーザが再生装置名を認識しつつ再生装置を選択することができる。
【００５６】
また情報処理装置１において、音声を含んだコンテンツを識別コンテンツとして表示させる際、複数の再生装置で同時に音声が出力されるとユーザが各々の音声を認識しにくくなるので、再生時間をずらして各々の識別コンテンツを再生させると良い。さらに、番号を含んだコンテンツを識別コンテンツとして表示させる際には、番号順にその静止画を再生させると良い。
【００５７】
本発明に係る情報処理装置１によると、複数の表示デバイス（再生装置）が接続された状態で、表示デバイスに特別な仕組みを組み込むことなく、ユーザがマルチメディアコンテンツを視聴するために表示デバイスを選択する際に、それらの表示デバイスの中から、所望の表示デバイスを簡単かつ確実に選択ですることが可能となる。
【００５８】
本発明に係る情報処理装置１として、装置内部に発明を実施する機能が予め記録されている場合で説明をしたが、これに限らず、同様の機能を通信ネットワーク２から装置にダウンロードしても良いし、同様の機能を記録媒体に記憶させたものを装置にインストールしてもよい。記録媒体としては、ＣＤ−ＲＯＭなどプログラムを記憶でき、かつ装置が読み取り可能な記録媒体であれば、その形態は何れの形態であっても構わない。
【符号の説明】
【００５９】
１００…コンテンツ再生システム，１…情報処理装置，２…通信ネットワーク，２ａ…アクセスポイント，３…ＰＣ，４…ＴＶ，５…携帯電話機，６…コンテンツサーバ，１０…主制御部，１１…電源回路部，１２…操作入力制御部，１２ａ…操作キー，１３…表示制御部，１３ａ…ディスプレイ，１４…音声制御部、１４ａ…マイクロフォン，１４ｂ…スピーカ，１５…通信制御部，１５ａ…アンテナ，１６…記憶部，２０…制御装置，２１…電源装置，２２…入力装置，２３…表示装置，２４…音声出力装置，２５…記憶装置，２５…通信装置，２５ａ…アンテナ，４０…再生装置リスト，４３…対応情報，４６…コンテンツ情報。
【図１】
2011076538.tif 000003
【図２】
2011076538.tif 000004
【図３】
2011076538.tif 000005
【図４】
2011076538.tif 000006
【図５】
2011076538.tif 000007
【図６】
2011076538.tif 000008
【図７】
2011076538.tif 000009
【図８】
2011076538.tif 000010
【図９】
2011076538.tif 000011
【図１０】
2011076538.tif 000012
【図１１】
2011076538.tif 000013